(57)【要約】【課題】誤操作を抑制し、コストを抑えることができる加熱調理器を提供すること。【解決手段】天板３と、天板３に載置された被加熱調理器具を加熱する複数の加熱口６と、複数の加熱口６の中から一つを選択する加熱口選択操作と、その選択した加熱口の火力調整を行う火力調整操作とが可能な操作部９と、操作部９の操作に応じて加熱口６の火力を制御する制御部と、を備えたものである。【選択図】図１
2014224661.tif 000002
【特許請求の範囲】
【請求項１】
天板と、
前記天板に載置された被加熱調理器具を加熱する複数の加熱口と、
前記複数の加熱口の中から一つを選択する加熱口選択操作と、その選択した加熱口の火力調整を行う火力調整操作とが可能な操作部と、
前記操作部の操作に応じて前記加熱口の火力を制御する制御部と、を備えた
ことを特徴とする加熱調理器。
【請求項２】
前記操作部は、前面に設けられている
ことを特徴とする請求項１に記載の加熱調理器。
【請求項３】
前記操作部の各種操作状況及び前記制御部の制御状況のうち少なくとも一方に応じた情報の表示を行う表示部を備え、
前記操作部は、
前記表示部に表示された情報の中から一つを選択する表示選択操作と、その選択された情報を決定する表示決定操作と、が可能である
ことを特徴とする請求項１または２に記載の加熱調理器。
【請求項４】
前記操作部の周囲に、前記加熱口の配置に対応して配置された、前記加熱口と同数の停止操作部を備え、
前記停止操作部が操作されると、前記制御部は対応した前記加熱口の加熱を停止する
ことを特徴とする請求項１〜３のいずれか一項に記載の加熱調理器。
【請求項５】
前記停止操作部は、押しボタンである
ことを特徴とする請求項４に記載の加熱調理器。
【請求項６】
カンガルーポケットを備え、
前記操作部は、前記カンガルーポケットに収納することが可能である
ことを特徴とする請求項１〜５のいずれか一項に記載の加熱調理器。
【請求項７】
前記操作部の周辺が凹んだ形状となっている
ことを特徴とする請求項１〜６のいずれか一項に記載の加熱調理器。
【請求項８】
前記操作部は、着脱自在である
ことを特徴とする請求項１〜７のいずれか一項に記載の加熱調理器。
【請求項９】
前記加熱口のそれぞれ、またはそれらの周辺に、発光部を備えた
ことを特徴とする請求項１〜８のいずれか一項に記載の加熱調理器。
【請求項１０】
前記加熱口選択操作により選択された加熱口に対応した発光部が光る
ことを特徴とする請求項９に記載の加熱調理器。
【請求項１１】
前記加熱口選択操作により選択された前記加熱口に対応した前記発光部が、選択される前と光り方が変わる
ことを特徴とする請求項９に記載の加熱調理器。
【請求項１２】
前記加熱口選択操作により選択された前記加熱口に対応した前記発光部が、他の加熱口の光り方と異ならせた
ことを特徴とする請求項９に記載の加熱調理器。
【請求項１３】
前記加熱口と同数の前記表示部を備え、
前記加熱口選択操作により選択された加熱口に対応した表示部の表示の仕方を他の表示部と変えた
ことを特徴とする請求項３〜１２のいずれか一項に記載の加熱調理器。
【請求項１４】
音及び音声のうち少なくとも一方を発する音声出力部を備え、
前記音声出力部は、
前記操作部の操作に応じて異なる音や音声を発する
ことを特徴とする請求項１〜１３のいずれか一項に記載の加熱調理器。
【請求項１５】
前記操作部はレバーを備えたことを特徴とする
請求項１〜１４のいずれか一項に記載の加熱調理器。
【請求項１６】
前記操作部はダイヤルを備えたことを特徴とする
請求項１〜１５のいずれか一項に記載の加熱調理器。
【請求項１７】
前記操作部は押しボタンを備えたことを特徴とする
請求項１〜１６のいずれか一項に記載の加熱調理器。
【請求項１８】
前記操作部はポインティングデバイスを備えたことを特徴とする
請求項１〜１７のいずれか一項に記載の加熱調理器。
【請求項１９】
前記加熱口選択操作は、
前記レバーによる可倒操作で行い、
前記加熱口を正面視して、前記レバーを傾けた方向に位置する前記加熱口が選択される
ことを特徴とする請求項１５に記載の加熱調理器。
【請求項２０】
前記加熱口選択操作は、
前記ダイヤルによる回転操作で行う
ことを特徴とする請求項１６に記載の加熱調理器。
【請求項２１】
前記加熱口選択操作は、
前記ポインティングデバイスで行う
ことを特徴とする請求項１８に記載の加熱調理器。
【請求項２２】
前記表示選択操作は、
前記ダイヤルによる回転操作で行う
ことを特徴とする請求項３に従属する請求項１６に記載の加熱調理器。
【請求項２３】
前記表示選択操作は、
前記レバーによる可倒操作で行う
ことを特徴とする請求項３に従属する請求項１５に記載の加熱調理器。
【請求項２４】
前記表示選択操作は、
前記ポインティングデバイスで行う
ことを特徴とする請求項３に従属する請求項１８に記載の加熱調理器。
【請求項２５】
前記表示決定操作は、
前記押しボタンによる押下操作で行う
ことを特徴とする請求項３に従属する請求項１７に記載の加熱調理器。
【請求項２６】
前記表示決定操作は、
前記レバーによる可倒操作で行う
ことを特徴とする請求項３に従属する請求項１５に記載の加熱調理器。
【請求項２７】
前記操作部は静電容量式タッチスイッチセンサを備え、
前記加熱口選択操作、前記表示選択操作、及び前記表示決定操作は、
前記静電容量式タッチスイッチセンサで行う
ことを特徴とする請求項３、または請求項３に従属する請求項４〜１４のいずれか一項に記載の加熱調理器。
【請求項２８】
前記操作部の誤動作を防止するロック機能を有し、
前記ロック機能は、
前記表示選択操作により選択され、前記表示決定操作により有効となる
ことを特徴とする請求項３〜２７のいずれか一項に記載の加熱調理器。
【請求項２９】
前記操作部の誤動作を防止するロック機能を有し、
前記レバーを一定時間長押しすることで前記ロック機能が有効となる
ことを特徴とする請求項３に従属する請求項１５に記載の加熱調理器。
【請求項３０】
前記操作部の誤動作を防止するロック機能を有し、
前記レバーを前記加熱口の配置に対応した方向に一定時間傾けることで、対応した前記加熱口の前記ロック機能が有効となる
ことを特徴とする請求項３に従属する請求項１５に記載の加熱調理器。
【請求項３１】
前記加熱口の加熱を一定時間経過後に停止させるタイマー機能を有し、
前記タイマー機能は、
前記表示選択操作により選択され、前記表示決定操作により有効となる
ことを特徴とする請求項３〜３０のいずれか一項に記載の加熱調理器。
【請求項３２】
前記表示部の表示は前記操作部の操作に応じてスクロールする
ことを特徴とする請求項３〜３１のいずれか一項に記載の加熱調理器。
【請求項３３】
前記表示部の表示は、
前記操作部の操作速度に応じてスクロール速度が変わる
ことを特徴とする請求項３２に記載の加熱調理器。
【発明の詳細な説明】
【技術分野】
【０００１】
本発明は、操作が簡易的な加熱調理器に関するものである。
【背景技術】
【０００２】
従来の加熱調理器において、火力調整の操作をダイヤルで行うものがある（例えば、特許文献１参照）。
特許文献１に記載の加熱調理器が誘導加熱式である場合、火力調整は決まった電力を切り替えるため段階的な操作となるが、ダイヤルで操作することにより、無段階調整のようなガスコンロに近い感覚で操作することが可能となる。
【０００３】
また、通常、操作部は天面に配置されるが、被加熱物（鍋）と同じ面にあるため、例えば湯沸かしや麺ゆでなどで吹き零れた場合、熱くて天面の操作部を触れられない状態となる。そこで、特許文献１に記載の加熱調理器のように操作部を押し出し式にして、前面など天面とは別の位置に配置することで、上記のような場合でも操作部の操作を容易に行うことが可能となる。
【先行技術文献】
【特許文献】
【０００４】
【特許文献１】特許第３８１０９０１号公報
【発明の概要】
【発明が解決しようとする課題】
【０００５】
図７は、従来の加熱調理器その１の斜め上から見た図、図８は、従来の加熱調理器その２の斜め上から見た図、図９は、従来の加熱調理器その２の操作部の拡大図である。
上記この種の従来の加熱調理器において、加熱口ごとに操作部であるダイヤル２０が設けられた構成であったため、図７に示すようにダイヤル２０同士が離れた位置に配置されていればよい。しかし、図８及び図９に示すようにダイヤル２０同士が近い位置に配置されている場合には、加熱調理器の前に立ってダイヤル２０を操作する際に手探りで操作する必要があり、その結果、誤って違う加熱口のダイヤル２０を操作してしまうという課題があった。
また、加熱口ごとに押し出し式のダイヤル２０を設けていたため、コストが高いという課題があった。
【０００６】
本発明は、以上のような課題を解決するためになされたもので、誤操作を抑制し、コストを抑えることができる加熱調理器を提供することを目的としている。
【課題を解決するための手段】
【０００７】
本発明に係る加熱調理器は、天板と、前記天板に載置された被加熱調理器具を加熱する複数の加熱口と、前記複数の加熱口の中から一つを選択する加熱口選択操作と、その選択した加熱口の火力調整を行う火力調整操作とが可能な操作部と、前記操作部の操作に応じて前記加熱口の火力を制御する制御部と、を備えたものである。
【発明の効果】
【０００８】
本発明に係る加熱調理器によれば、加熱口ごとに押し出し式のダイヤルを設ける代わりに、操作が簡易的で簡素化した操作部を設けたため、誤操作を抑制し、コストを抑えることができる。
【図面の簡単な説明】
【０００９】
【図１】本発明の実施の形態１に係る加熱調理器の上面から見た概略図である。
【図２】本発明の実施の形態１に係る加熱調理器の正面から見た概略図である。
【図３】本発明の実施の形態２に係る加熱調理器の正面から見た概略図である。
【図４】本発明の実施の形態３に係る加熱調理器の上面から見た概略図である。
【図５】本発明の実施の形態３に係る加熱調理器の正面から見た概略図である。
【図６】本発明の実施の形態４に係る加熱調理器の上面から見た概略図である。
【図７】従来の加熱調理器その１の斜め上から見た図である。
【図８】従来の加熱調理器その２の斜め上から見た図である。
【図９】従来の加熱調理器その２の操作部の拡大図である。
【発明を実施するための形態】
【００１０】
以下、本発明の実施の形態を図面に基づいて説明する。なお、以下に説明する実施の形態によって本発明が限定されるものではない。また、以下の図面では各構成部材の大きさの関係が実際のものとは異なる場合がある。
【００１１】
実施の形態１．
図１は、本発明の実施の形態１に係る加熱調理器の上面から見た概略図、図２は、本発明の実施の形態１に係る加熱調理器の正面から見た概略図である。
加熱調理器は、本体１と、本体１の上に設けられ、鍋やフライパンなどの被加熱物が載置される天板３と、天板３の下方に設けられ、天板３に載置された被加熱物を加熱する複数（本実施の形態１では３つ）の加熱口６（６ａ〜６ｃ）と、後述する操作部９の操作に応じて加熱口６の制御を行う図示省略の制御部と、操作部９の各種操作状況や制御部の制御状況などに応じた情報の表示を行う例えば液晶などの表示部１０と、を備えている。
また、本体１の上面後方には、本体１内部と連通し、本体１内部に冷却風を取り込むための吸気口７と、本体１内部に取り込んだ冷却風を排出するための排気口８とが設けられている。さらに、本体１の前面には前面パネル２が設けられている。
【００１２】
本体１の前面左側には、扉にハンドル４ａが設けられた引出し式のロースター４が設けられており、ロースター４からの排気は排気口８から排出される。
また、前面右側の前面パネル２には、加熱口６の火力調整やタイマー設定などを行う操作部９が設けられている。操作部９は、複数ある加熱口６の中から一つを選択する加熱口選択操作、表示部１０に表示された情報の中から一つを選択する表示選択操作、及び、その選択された情報を決定する表示決定操作を行うことができる構成とする。
【００１３】
本実施の形態１では、操作部９は押しボタン機能を有するレバーとダイヤルから構成され、加熱口選択操作はレバーによる可倒操作、表示選択操作はダイヤルによる回転操作、表示決定操作はレバーによる押下操作、でそれぞれ行うものとする。
また、前面パネル２の上側には電源スイッチ５が設けられている。
【００１４】
なお、操作部９の手前側への突出量が多いと、それが邪魔になりシステムキッチンに加熱調理器が取り付かないため、邪魔にならない突出量に抑える必要がある。そこで、操作部９のレバー部分を着脱自在な構成とし、システムキッチンに加熱調理器を取り付ける際に操作部９を取り外せるようにしてもよい。
【００１５】
また、操作部９の操作を行いやすいように（特に突出量を抑えた場合）、操作部９の周辺を凹ませた形状にしてもよい。
また、操作部９のツマミの形状は、図１や図６の例では球状としているが、ダイヤル操作がしやすいように円柱形状でもよい。この場合、円でなくても多角形などでもよく、限定はしない。また、すべりにくいように周囲に溝をつけてもよい。
【００１６】
次に操作部９の操作方法について説明する。
使用者は、３つある加熱口６の中から操作したい加熱口６を選択する場合、操作したい加熱口６がある方向に操作部９のレバーを傾けることで、加熱口６を選択することができる。つまり、図１に示すように上面視して左側に配置されている加熱口６ｂなら左に、上側に配置されている加熱口６ｃなら上に、右側に配置されている加熱口６ａなら右に、それぞれ操作部９のレバーを傾ける。なお、操作部９を下に傾けたらロースター４を選択できるようにしてもよい。
【００１７】
また、レバーを傾けるだけでなく、傾けた後、レバーを初期位置に戻す（ニュートラルにする）ことで、初めて加熱口６を選択することができるようにしてもよい。また、誤動作防止のため、レバーをただ傾けるだけでなく、一定時間傾けたら、または一定時間内に複数回続けて傾けたら、または傾けた状態でレバーを押下したら加熱口６を選択することができるようにしてもよい。
【００１８】
加熱口６を選択すると、例えば、加熱口６ｂを選択した場合は表示部１０に左と表示するなど、表示部１０に選択された加熱口６がどれであるか分かるような表示がされる。そして、その選択された加熱口６に応じた火力調整やメニューなどに関する情報が表示部１０に表示されるため、ダイヤルを回して情報を選択し、レバーを押下することで決定することができる。例えば、通常の加熱を行いたい場合は、表示部１０に表示されているメニュー項目の中から「通常加熱」を、ダイヤルを回して選択し、レバーを押下して決定することで、予め設定されたデフォルトの火力で加熱を開始する。その時、表示部１０には、その時の火力が表示される。また、火力調整を行いたい場合は、表示部１０に表示されている火力の項目が任意の火力となるようにダイヤルを回して調整する。またはダイヤルを回して任意の火力を選択し、レバーを押下することでその火力に決定するようにしてもよい。
また、メニューなどの項目選択中の表示部１０の表示は、表示位置が固定で、カーソルが移動するものでもよいし、操作部９の操作に応じて表示自体がスクロールするものでもよく、選択部分の表示はカーソルがなくても反転表示としてもよいし、選択部分を拡大表示してもよく、選択している項目が判れば、その方法は問わない。またスクロールする場合の表示も、横方向へのスクロールあるいは縦方向へのスクロール、サークル状のスクロールなど、その方法は問わない。またスクロール中に最後の項目に達した場合、そこまでで止める、もしくは一周してエンドレスとするかについても問わない。表示のスクロール速度は、操作部９の操作速度に応じて変えてもよい。
【００１９】
なお、表示部１０の代わりに例えばＬＥＤを用い、火力調整を行いたい場合は、操作部９のレバーで加熱口６を選択し、それに対応したＬＥＤが点灯した後、火力に応じたＬＥＤの点灯数や点灯パターンを見ながら火力を調整するようにしてもよい。また、音や音声を発する音声出力部を用い、操作部９の操作に応じて異なる音や音声を発するようにしてもよい。また、表示部１０の表示されたメニューを選択していく場合、それ以上選択するものがない場合など、無効な操作時においては、それが判るよう有効な操作時と異なる音や音声を発するようにしてもよい。また、表示部１０を１つの構成としたが、加熱口６と同数設け、選択された加熱口６に対応した表示部１０の表示の仕方を他の表示部１０と変えるようにしてもよい。
【００２０】
次に、加熱中の加熱口６の加熱を（緊急）停止させる、（緊急）停止機能について説明する。
加熱口６の加熱を（緊急）停止させる（緊急）停止方法として、例えば、（緊急）停止させたい加熱口６がある方向に操作部９のレバーを傾けることで、加熱口６を（緊急）停止させることができる。
【００２１】
また、レバーを傾けるだけでなく、傾けた後、レバーを初期位置に戻す（ニュートラルにする）ことで、初めて加熱口６を（緊急）停止させるようにしてもよい。また、レバーをただ傾けるだけでなく、一定時間傾けたら、または一定時間内に複数回続けて傾けたら、または傾けた状態でレバーを押下したら加熱口６を（緊急）停止させることができるようにしてもよい。さらに、上記操作の後、レバーを押下して初めて（緊急）停止させることができるようにしてもよい。さらに、レバーを押下したらすべての加熱口６を（緊急）停止させるようにしてもよい。
【００２２】
次に、加熱中の加熱口６の加熱を一定時間経過後に停止させるタイマー機能について説明する。
加熱口６の加熱を一定時間経過後に停止させるタイマー設定方法として、例えば、タイマー設定したい加熱口６がある方向に操作部９のレバーを傾けることで、加熱口６を選択する。加熱口６を選択後、表示部１０に表示された情報の中から、ダイヤルを回してタイマー設定を選択し、レバーを押下することで決定することができ、予め設定されたデフォルトの時間でタイマーを開始する。その時、表示部１０には、その時のタイマー時間が表示される。また、設定したい時間となるようにダイヤルを回して調整し、レバーを押下することで設定時間の変更を行い設定した時間でタイマー開始となる。
【００２３】
次に、操作部９の誤操作を防止するロック機能について説明する。
操作部９の誤操作を防止するロックの設定方法として、例えばレバーを一定時間長押しする。こうすることで、使用者が誤って操作部９に触れてしまったような場合でも誤操作を防止することができる。また、加熱口６ごとにロックしたいような場合は、例えばロックしたい加熱口６がある方向にレバーを一定時間傾ける。こうすることで、ロックしたい加熱口６のみの操作を無効とし、その他の加熱口６への操作を有効にすることができる。
また、表示部１０に表示されている項目の中からロック機能を選択させるようにしてもよい。
また、ロックしていることを表示部１０へ表示させる。表示方法は文字での表示でもよいし、ＬＥＤの表示でもよく、加熱口ごとにロックさせる場合はどの加熱口がロックしているか判るように表示させてもよいし、表示部１０が加熱口ごとにある場合は、ロックしている加熱口に相当する表示部１０の液晶のバックライトの明るさを変えたり消灯したりしてもよいし、バックライトの色を変えてもよい。
【００２４】
以上のように、本実施の形態１に係る加熱調理器によれば、加熱口選択操作、表示選択操作、及び、表示決定操作を行うことができる操作部９を用いることで、１つの操作部９のみで複数の加熱口６の操作が可能となり、使用者は直感的に操作を行うことができるため、操作が簡易的となる。その結果、誤操作を抑制することができる。また、操作部９を天板３ではなく前面に配置することで、例えば湯沸かしや麺ゆでなどで吹き零れた場合でも、安全に操作部９の操作を容易に行うことが可能となる。また、操作部９を１つとし、簡素化した構成とすることで、コストを抑えることができる。
【００２５】
本実施の形態１では、操作部９はレバーとダイヤルから構成され、加熱口選択操作はレバーによる可倒操作、表示選択操作はダイヤルによる回転操作、表示決定操作はレバーによる押下操作、でそれぞれ行うものとしたが、他の構成でもよい。
【００２６】
例えば、表示選択操作もレバーによる可倒操作で行ってもよいし、表示決定操作もレバーによる可倒操作で行ってもよい。ダイヤルを回す代わりにレバーを上下左右に傾けることで表示選択操作が可能であり、レバーを一定時間傾ける、または一定時間内に複数回続けて傾けることにより表示決定操作が可能である。
【００２７】
また、操作部９をトラックボールなどのポインティングデバイスで構成し、加熱口選択操作及び表示選択操作を行ってもよい。操作したい加熱口６がある方向にポインティングデバイスを移動し、加熱口６を選択することができる。また、加熱口６を選択すると、その加熱口６に応じた火力調整やメニューなどに関する情報が表示部１０に表示されるため、同様にポインティングデバイスを移動して情報を選択することができる。その場合、ポインティングデバイスの周囲に押しボタンを配置し、表示決定操作を行うようにしてもよい。
【００２８】
また、操作部９を静電容量式タッチセンサで構成し、加熱口選択操作、表示選択操作、及び、表示決定操作を行ってもよい。タッチセンサ上を、操作したい加熱口６がある方向に指をスライドし、加熱口６を選択することができる。加熱口６を選択すると、その加熱口６に応じた火力調整やメニューなどに関する情報が表示部１０に表示されるため、同様にタッチセンサ上を、指をスライドして情報を選択し、タッチセンサ上を１回もしくは複数回タップすることで決定することができる。
また、静電容量式タッチセンサと液晶などの表示部を組み合わせたデバイスを用いて、操作部９と表示部１０を兼用にした構成としてもよい。この場合、表示部の項目部分を１回もしくは複数回タップすることで選択と決定を同時に行うようにしてもよいし、画面をマルチタップすれば決定するようにしてもよい、また、表示中に決定ボタンを表示させておき、そこを１回もしくは複数回タップすることで決定を行うようにしてもよい。
【００２９】
また表示選択操作においては、レバーの場合はレバーの傾けている時間、ダイヤルの場合はダイヤルの回転速度、ポインティングデバイスの場合は移動速度、静電容量式タッチセンサの場合はスライドする速度に応じて、表示の切り替わる速度を変えてもよい。
【００３０】
実施の形態２．
図３は、本発明の実施の形態２に係る加熱調理器の正面から見た概略図である。
以下、本実施の形態２について説明するが、本実施の形態１と重複するものについては省略する。
本実施の形態２では、操作部９の周りに停止操作部である押しボタン１２が加熱口６と同数（本実施の形態３では３つ）設けられている。これら押しボタン１２は各加熱口６に対応しており、操作部９の左側の押しボタン１２ｂは加熱口６ｂ、操作部９の上側の押しボタン１２ｃは加熱口６ｃ、操作部９の右側の押しボタン１２ａは加熱口６ａ、にそれぞれ対応している。
【００３１】
これら押しボタン１２は、加熱口６の（緊急）停止用として用い、（緊急）停止させたい加熱口６に対応する押しボタン１２を押下すると、その加熱口６の加熱を停止させるようにする。
こうすることで、直ちに、かつ、誤操作することなく加熱口６を（緊急）停止させることができるため、安全性を高めることができる。
【００３２】
また、これら押しボタン１２は、その他の用途にも用いることができ、例えば一定時間内に一度押下したら（緊急）停止機能、二度押下したらタイマー機能、一定時間長押ししたらロック機能などとしてもよい。
【００３３】
実施の形態３．
図４は、本発明の実施の形態３に係る加熱調理器の上面から見た概略図、図５は、本発明の実施の形態３に係る加熱調理器の正面から見た概略図である。
以下、本実施の形態３について説明するが、本実施の形態１及び２と重複するものについては省略する。
本実施の形態３では、前面パネル２がカンガルーポケット１４となっており、その内側に操作部９が収納されている。例えばカンガルーポケット１４は下側が軸支されており、上側を押下して離すと、その上側が回転して開くようになっており、内側に収納されている操作部９が出現する。なお、操作部９をカンガルーポケット１４に収納するため、操作部９でレバーなど突出部があるものを使用する場合は、突出量を制限したり、収納空間を大きくしたりするなどの工夫が必要となる。
また、操作部９をカンガルーポケット１４内に収納する場合、表示部１０をカンガルーポケット１４内に配置することで、操作部９と距離が近くなり、視認性がよくなる。この時、天板３の表示部１０とは別に配置させてもよい。
【００３４】
以上の構成にすることにより、操作部９を使用しないときはカンガルーポケット１４内に収納されているため、ロック機能を用いなくても誤操作の防止となり、また、システムキッチンに加熱調理器を取り付ける際に邪魔にならずに済む。
【００３５】
実施の形態４．
図６は、本発明の実施の形態４に係る加熱調理器の上面から見た概略図である。
以下、本実施の形態４について説明するが、本実施の形態１〜３と重複するものについては省略する。
本実施の形態４では、図６に示すように各加熱口６、またはそれらの周辺に、光る発光部１３が設けられている。
発光部１３は、例えばＬＥＤで構成されており、操作部９により選択された加熱口６（の周辺）の発光部１３が光るようになっている。
【００３６】
こうすることで、操作中の加熱口６が視覚的に分かりやすくなるため、意図していない加熱口６を選択して操作してしまうといった誤操作を低減させることができる。
なお、最初から全ての発光部１３が光っており、操作部９により選択された加熱口６（の周辺）の発光部１３の光り方を点滅させたり明るさを変えるなど、選択される前と変わる、または他の加熱口６の光り方と異ならせるようにしてもよい。
【符号の説明】
【００３７】
１  本体、２  前面パネル、３  天板、４  ロースター、４ａ  ハンドル、５  電源スイッチ、６  加熱口、６ａ〜６ｃ  加熱口、７  吸気口、８  排気口、９  操作部、１０  表示部、１２  押しボタン（停止操作部）、１２ａ〜１２ｃ  押しボタン（停止操作部）、１３  発光部、１３ａ〜１３ｃ  発光部、１４  カンガルーポケット、２０  （従来の）ダイヤル。
【図１】
2014224661.tif 000003
【図２】
2014224661.tif 000004
【図３】
2014224661.tif 000005
【図４】
2014224661.tif 000006
【図５】
2014224661.tif 000007
【図６】
2014224661.tif 000008
【図７】
2014224661.tif 000009
【図８】
2014224661.tif 000010
【図９】
2014224661.tif 000011